(57)【要約】      （修正有）【課題】本発明の第１の目的は、少なくともコインの真偽判別及び電気的情報記憶媒体に対する読込若しくは書込処理ができる小型の価値媒体処理装置を提供することである。【解決手段】投入口に投入したコインをコイン通路を転動させて真偽判別をするとともに、キャンセル手段１０８により当該コイン通路におけるコインをキャンセルするようにした価値媒体処理装置において、コインの投入口１３８と電気的価値記憶媒体のための投入口１４０の少なくとも一部を共通にし、前記電気的価値媒体投入口における電気的価値記憶媒体の検知手段を設け、前記検知手段の検知に基づいて前記キャンセル手段を不作動とする不作動手段を、有することを特徴とする価値媒体処理装置である。【選択図】図１
2008071088.tif 000002
【特許請求の範囲】
【請求項１】
投入口（102）に投入したコイン（C）をコイン通路（104）を転動させて真偽判別をするとともに、キャンセル手段(108)により当該コイン通路におけるコインをキャンセルするようにした価値媒体処理装置において、
前記コインの投入口（138）と電気的価値記憶媒体のための投入口（138、140）の少なくとも一部を共通にし、
前記電気的価値媒体投入口における電気的価値記憶媒体の検知手段（114）を設け、
前記検知手段の検知に基づいて前記キャンセル手段を不作動とする不作動手段（116、202、222）を、
有することを特徴とする価値媒体処理装置。
【請求項２】
コインとＩＣコイン（ＩＣ）とを共通の投入口（138）に投入した後、コイン通路若しくは前記コインよりも幅広のＩＣコイン通路（106）とに誘導するようにし、かつ、前記コインのキャンセル手段を備えた価値媒体処理装置において、
前記ＩＣコイン通路にＩＣコインの検知手段（114）を設け、
前記検知手段の検知に基づいて前記キャンセル手段を不作動とする不作動手段（222）を設け、
前記投入口に続く下向き共通通路（170）の下方に前記コイン通路を配置し、
前記共通通路に逸らせ手段（122）を配置し、
前記コイン通路に相対してコインの判別手段（118）を配置し、
さらに、前記ＩＣコイン通路の前記逸らせ手段の下流にＩＣコイン保留手段（124）を配置し、
前記保留手段がＩＣコインの保持位置(SP)にあるとき前記キャンセル手段の動作を不能にし、
前記検知手段がコインを判別した場合、前記逸らせ手段によって投入コインを前記コイン通路に誘導することを特徴とする価値媒体処理装置。
【請求項３】
請求項２の価値媒体処理装置において、
前記ＩＣコイン通路は前記投入口に続いて所定の角度で下向きに傾斜する通路であり、
前記コイン通路は前記投入口に続いて前記ＩＣコイン通路の下方において所定の角度で下向きに傾斜する通路であり、
前記投入口に続く大凡コイン直径に相当する通路はコインとＩＣコインとの共通通路であることを特徴とする。
【請求項４】
請求項３の価値媒体処理装置において、
前記コイン通路と前記ＩＣコイン通路とは垂立するベース（144）と前記ベースに対し接離可能なキャンセルカバ(146)及び所定の角度で下向きに傾斜するガイドレール（150、162）とにより画定され、前記ガイドレールはキャンセルカバに一体的に設けられていることを特徴とする。
【請求項５】
請求項２または３の価値媒体処理装置において、
さらに、前記投入口への価値媒体投入阻止手段（126）を設け、
前記価値媒体投入阻止手段は、前記逸らせ手段が前記ＩＣコイン通路への誘導状態にある場合、投入口を実質的に閉止する位置に在り、非誘導状態にある場合、投入可能位置に位置されることを特徴とする。
【請求項６】
請求項２の価値媒体処理装置において、
前記投入口は、矩形縦長であり、かつ、前記ＩＣコイン通路の一側壁に沿ってＩＣカード通路（112）が形成されていることを特徴とする。
【発明の詳細な説明】
【技術分野】
【０００１】
本発明は、少なくとも、コインの真偽を判別し、及び、電気的価値情報記憶媒体の価値情報を読み込み、若しくは書き込みできる価値媒体処理装置に関する。
本発明は、さらに、コインと電気的価値情報記憶媒体を少なくとも一部が共通する投入口に投入する価値媒体処理装置に関する。
さらには、コイン、ＩＣコイン及びＩＣカードが使用できる価値媒体処理装置に関する。
なお、本発明に係る価値媒体処理装置は、コイン式ゲーム機や自動販売機等に使用可能である。
本明細書において、コインとは、通貨としての硬貨、ゲーム機のメダルおよびトークン等の総称である。
【背景技術】
【０００２】
第１の従来技術として、ＩＣコインと硬貨のいずれも投入可能な縦スリット状の共通投入口の背後に当該投入口と同幅の縦長行路を設け、当該縦長行路の底面にはその幅方向中央部において硬貨のみを収めうる幅の相対的高勾配なくだり斜面の硬貨用通路を形成してその先に硬貨のみ落下する幅のスリット状硬貨受入口を設けると共に、該硬貨用通路の両端脇においてはより低勾配な下り斜面の路肩を形成し、該スリット状硬貨受入口より先に先方にＩＣコイン受け入れ部を設けた種分け機構知られている（例えば、特許文献１参照。）。
第２の従来技術として、ほぼ直立するベースプレートの上部に硬貨口を設け、前記硬貨口の下方に硬貨返却口を配置した硬貨選別装置において、前記ベースプレートの上部に対応して上向き傾斜面を形成し、前記上向き傾斜面に硬貨投入口を配置すると共に前記硬貨投入口の周りの前記上向き傾斜面の下位に通信用のアンテナを配置し、かつ、前記上向き斜面にアンテナ標示をしたことを特徴とするスマートカード課金機能を備える硬貨選別装置が知られている（例えば、特許文献2参照。）。
【０００３】
【特許文献１】特開2006-189986（図１−図３、２頁―４頁）
【特許文献２】特開2005-25404（図２−４、２頁―４頁）
【０００４】
第１の従来技術は、コインとＩＣコインとを同一の投入口に投入でき、顧客が投入口を間違えない利点がある。
しかし、低勾配な下り斜面の路肩によってコインを硬貨通路に落下させるが、コインは転動により慣性力を有しているため、路肩上を転がり、コイン用通路に落下せず、結果としてコインの選別を行うことができない恐れがある。
また、コインはＩＣコインの通路を転動中に振分られた後、識別される。
よって、ＩＣコインの読込若しくは書込装置はコインが転動する通路の下流に配置せねばならず、装置が大型化する問題がある。
詳細には、ゲーム機等に既に使用されているコイン選別装置との互換性を確保する観点から、従来のコイン選別機の大きさに収めることが要求される。
第２の従来技術は、コイン投入口の周囲にＩＣカード用のアンテナが配置され、課金ごとにＩＣカードを前記アンテナに近づける必要がある。
換言すれば、連続して同一ゲームを行う場合、ゲームの開始毎にＩＣカードをアンテナにかざさねばならず、顧客にとって煩雑である問題がある。
また、第２の従来技術においてＩＣコインを使用する場合、コイン通路に新たに通信用のアンテナを配置せねばならず、装置が大型化すると共に高価になる問題がある。
【発明の開示】
【発明が解決しようとする課題】
【０００５】
本発明の第１の目的は、少なくともコインの真偽判別及び電気的情報記憶媒体に対する読込若しくは書込処理ができる小型の価値媒体処理装置を提供することである。
本発明の第２の目的は、少なくともコインの真偽判別及び電気的情報記憶媒体に対する読込若しくは書込処理ができる価値媒体処理装置における読込若しくは書込処理を確実行うことができる価値媒体処理装置を提供することである。
本発明の第３の目的は、コインの真偽判別、ＩＣコイン及びＩＣカードの読込若しくは書込が可能な小型の価値媒体処理装置を提供することである。
本発明の第４の目的は、コインの真偽判別、ＩＣコイン及びＩＣカードの読込若しくは書込が可能な小型の価値媒体処理装置を安価に提供することである。
【課題を解決するための手段】
【０００６】
この目的を達成するため、本発明にかかるコインセレクタは以下のように構成される。
投入口に投入したコインをコイン通路を転動させて真偽判別をするとともに、キャンセル手段により当該コイン通路におけるコインをキャンセルするようにした価値媒体処理装置において、コインの投入口と電気的価値記憶媒体のための投入口の少なくとも一部を共通にし、前記電気的価値媒体投入口における電気的価値記憶媒体の検知手段を設け、前記検知手段の検知に基づいて前記キャンセル手段を不作動とする不作動手段を、有することを特徴とする価値媒体処理装置。
請求項２の発明は、コインとＩＣコインとを共通の投入口に投入した後、コイン通路若しくは前記コインよりも幅広のＩＣコイン通路とに誘導するようにし、かつ、前記コインのキャンセル手段を備えた価値媒体処理装置において、前記ＩＣコイン通路にＩＣコインの検知手段を設け、
前記検知手段の検知に基づいて前記キャンセル手段を不作動とする不作動手段を設け、前記投入口に続く下向き共通通路の下方に前記コイン通路を配置し、前記共通通路に逸らせ手段を配置し、前記コイン通路に相対してコインの判別手段を配置し、さらに、前記ＩＣコイン通路の前記逸らせ手段の下流にＩＣコイン保留手段を配置し、前記保留手段がＩＣコインの保持位置にあるとき前記キャンセル手段の動作を不能にし、前記検知手段がコインを判別した場合、前記逸らせ手段によって投入コインを前記コイン通路に誘導することを特徴とする価値媒体処理装置である。
請求項３の発明は、請求項２の価値媒体処理装置において、前記ＩＣコイン通路は前記投入口に続いて所定の角度で下向きに傾斜する通路であり、前記コイン通路は前記投入口に続いて前記ＩＣコイン通路の下方において所定の角度で下向きに傾斜する通路であり、前記投入口に続く大凡コイン直径に相当する通路はコインとＩＣコインとの共通通路であることを特徴とする。
請求項４の発明は、請求項３の価値媒体処理装置において、前記コイン通路と前記ＩＣコイン通路とは垂立するベースと前記ベースに対し接離可能なキャンセルカバ及び所定の角度で下向きに傾斜するガイドレールとにより画定され、前記ガイドレールはキャンセルカバに一体的に設けられていることを特徴とする。
請求項５の発明は、請求項２または３の価値媒体処理装置において、さらに、前記投入口への価値媒体投入阻止手段を設け、前記価値媒体投入阻止手段は、前記逸らせ手段が前記ＩＣコイン通路への誘導状態にある場合、投入口を実質的に閉止する位置に在り、非誘導状態にある場合、投入可能位置に位置されることを特徴とする。
請求項６の発明は、請求項２の価値媒体処理装置において、前記投入口は、矩形縦長であり、かつ、前記ＩＣコイン通路の一側壁に沿ってＩＣカード通路が形成されていることを特徴とする。
【発明の効果】
【０００７】
この構成において、コインはコイン通路を転がり、真偽判別手段に達する。
コイン及び電気的価値記憶媒体の投入口の少なくとも一部を共通とした投入口に投入したコインは、コイン通路を転動する途上で真偽判別手段により判別される。
もし、コイン通路においてコインがジャムした場合、当該コインは顧客がキャンセル手段を操作することによりコイン通路の一部を開放することにより当該コイン通路から排除されてキャンセルされ、返却口へ戻される。
前記電気的価値記憶媒体はコインの投入口と少なくとも一部共通であるため、前記キャンセル手段によりその姿勢が保たれる。
電気的価値記憶媒体が電気的価値媒体投入口に挿入された場合、当該電気的価値記憶媒体は検知手段によって検知され、前記キャンセル手段が不作動手段によりロックされる。
電気的価値記憶媒体が電気的価値媒体投入口に挿入された場合、前記キャンセル手段が不作動手段によりロックされ、顧客がキャンセル手段を操作しようとしても移動されない。
よって、投入口に挿入された場合、電気的価値記憶媒体は移動されないので、読込若しくは書込処理を確実に行うことができる。
また、コイン及び電気的価値媒体の投入口の少なくとも一部が共通であるため、価値媒体処理装置を小型にすることができる。
請求項２の発明において、投入口に連なるコインとＩＣコインとの下向き共通通路に逸らせ手段が配置され、前記投入口と前記逸らせ手段との間に配置した判別手段によって投入媒体が判別される。
ＩＣコインが投入口に投入された場合、判別手段により判別され、逸らせ手段が共通通路から退避され、下向きのＩＣコイン通路を転動する。
投入口にコインが投入された場合、判別手段によって判別され、逸らせ手段は逸らせ位置に位置される。
コインは、投入された直後に前記逸らせ手段によってＩＣコイン通路の下側に並列に配置されたコイン通路に誘導された後、コイン通路を転動する途上で真偽判別手段により判別される。
もし、コイン通路においてコインがジャムした場合若しくは返却を望む場合、当該コインは顧客がキャンセル手段を操作することによりコイン通路の一部を開放することにより当該コイン通路から排除されてキャンセルされ、返却口へ戻される。
ＩＣコインはＩＣコイン通路を転動して所定位置において保留され、ＩＣコインに対し読込若しくは書込処理が行われる。
ＩＣコインがＩＣコイン通路において保留された場合、キャンセル手段はキャンセル処理をしようとしても移動されないので、所定の位置に保持される。
よって、ＩＣコインに対する読込、書込処理を確実におこなうことができる。
また、コインは投入口に投入された直後逸らせ手段によってコイン通路に逸らせられ、かつ、コイン通路はＩＣコイン通路の下側に並列配置されているので、装置を小型化できる利点がある。
請求項３の発明において、投入口に続き、かつ、コイン直径に相当する長さは、コインとＩＣコインとの共通通路である。
投入口に投入され、共通通路を移動するコインは、逸らせ手段によって下方へ案内され、コイン通路へ誘導される。
共通通路がコイン直径に相当する長さであるので、コインは投入されて後、直ぐさまコイン通路へ案内される。
よって、コインとＩＣコインとの振分部の長さを最小限にすることができるので、装置を小型化できる利点がある。
請求項４の発明において、価値媒体処理装置のコイン通路及びＩＣコイン通路は垂立するベース及びそれに対し接離可能であって、かつ、傾斜するガイドレールが設けられたキャンセルカバにより画定される。
よって構成が簡単であるので、価値媒体処理装置をｌ小型化できる利点がある。
請求項５の発明において、さらに、前記投入口への価値媒体投入阻止手段が設けられる。
前記逸らせ手段がコイン通路への誘導位置にある場合、投入口を実質的に閉止する位置に位置される。
換言すれば、価値媒体処理装置がＩＣコインの処理モードである場合、価値媒体投入阻止手段は投入口を実質的に閉止する。
よって、コインを投入口に投入することができないので、キャンセル手段が操作されることがなく、確実にＩＣコインに対し読込、書込処理をすることができる。
請求項６の発明において、コイン及びＩＣコインの投入口は、さらにＩＣカード投入口と一部が共通し、それらの一面は、共通の縦長面である。
この構成において、ＩＣコイン及びＩＣカードは当該一面に沿い、かつ、近接する。
よって、この一面にＩＣコイン及びＩＣカードのリードライト用の通信機器を配置することにより、共用することができる。
通信機器を共用することにより安価に構成できる利点がある。
【発明を実施するための最良の形態】
【０００８】
本発明の最良の形態は、コインとＩＣコインとを共通の投入口に投入した後、コイン通路若しくは前記コイン通路よりも幅広のＩＣコイン通路とに誘導するようにし、かつ、前記コインとＩＣコインとのキャンセル手段を備えた価値媒体処理装置において、前記投入口は、矩形縦長であり、かつ、前記ＩＣコイン通路の一側壁に沿ってＩＣカード通路が形成され、前記コイン通路と前記ＩＣコイン通路とは垂立するベースと前記ベースに対し接離可能なキャンセルカバ及び所定の角度で下向きに傾斜するガイドレールとにより画定され、前記ガイドレールはキャンセルカバに一体的に設けられ、前記ＩＣコイン通路は前記投入口に続いて所定の角度で下向きに傾斜する通路であり、前記コイン通路は前記投入口に続いて前記ＩＣコイン通路の下方において所定の角度で下向きに傾斜する通路であり、前記投入口に続く大凡コイン直径に相当する通路はコインとＩＣコインとの共通通路であり、前記ＩＣコイン通路にＩＣコインの検知手段を設け、前記検知手段の検知に基づいて前記キャンセル手段を不作動とする不作動手段を設け、前記投入口に続く下向き共通通路の下方に前記コイン通路を配置し、前記共通通路に逸らせ手段を配置し、前記投入口と前記逸らせ手段との間に投入媒体の判別手段を配置し、さらに、前記ＩＣコイン通路の前記逸らせ手段の下流にＩＣコイン保留手段を配置し、前記保留手段がＩＣコインの保留位置にあるとき前記キャンセル手段の動作を不能にするキャンセル不作動手段を設け、さらに、前記投入口への価値媒体投入阻止手段を設け、前記価値媒体投入阻止手段は、前記逸らせ手段が前記ＩＣコイン通路への誘導状態にある場合、投入口を実質的に閉止する位置に在り、非誘導状態にある場合、投入可能位置に位置され、前記判別手段がコインを判別した場合、前記逸らせ手段によって投入コインを前記コイン通路に誘導することを特徴とする価値媒体処理装置である。
【実施例】
【０００９】
図１は実施例の価値媒体処理装置の斜視図である。
図２は実施例の価値媒体処理装置の正面図である。
図３は実施例の価値媒体処理装置の左側面図である。
図４は実施例の価値媒体処理装置の右側面図である。
図５は実施例の価値媒体処理装置の平面図である。
図６は図５におけるＡ―Ａ線断面図である。
図７は図４におけるＢ―Ｂ線断面図である。
図８は図４におけるＣ―Ｃ線断面図である。
図９は図４におけるＤ―Ｄ線断面図である。
図１０はＩＣコイン阻止手段の説明図である。
図１１は図５におけるＦ―Ｆ線断面図である。
【００１０】
実施例において、コインＣは円盤状かつ金属製であって傾斜路を自重で転動できる。
ＩＣコインＩＣは円盤状であって傾斜路を自重で転動でき、かつ、非接触で読込若しくは書込可能なアンテナを備えたＩＣチップＴＰを内蔵し、コインＣよりも厚く、かつ、大径である。
ＩＣカードＣＤは矩形薄板状であって、かつ、非接触で読込若しくは書込可能なＩＣチップＴＰを内蔵し、幅（高さ）は、ＩＣコインICの直径よりも大きい。
電気的価値情報記憶媒体とは、  ＩＣコインＩＣ及びＩＣカードＣＤをいう。
【００１１】
価値媒体処理装置100は、投入口102、コイン通路104、ＩＣコイン通路106、キャンセル手段108、ＩＣカード通路112、電気的価値情報記憶媒体の検知手段114、キャンセル不作動手段116、判別手段118、逸らせ手段122、ＩＣコイン保留手段124、価値媒体投入阻止手段126、通信手段128、コイン振分手段130及びＩＣコイン振分手段132を含んでいる。
【００１２】
まず、投入口102を説明する。
投入口102は、コインC及び電気的価値情報記憶媒体としてのＩＣコインIC若しくはＩＣカードCDを投入される機能を有する。
しかし、投入口102は、コインCとＩＣコインＩＣ若しくはコインCとICカードCDの組み合わせのように、コインＣの選別と１種類の電気的価値情報記憶媒体を受け入れる機能を有していればよい。
投入口102は、コインCの投入口、ＩＣコインＩＣの投入口及びＩＣカードＣＤの投入口の少なくとも一部が共通になるようオーバーラップして形成されている。
一部を共通にすることにより、投入口設置範囲を小さくできるので、装置を小型化できる利点を有する。
本実施例において、投入口102はフロントカバ134に形成されている。
フロントカバ134は、金属製の板状のフロントパネル136の前面を覆うように固定されている。
本実施例において投入口102は、コインＣとＩＣコインＩＣとの共通の縦長矩形形のコイン類投入口138とＩＣカードＩＣ用のカード投入口140とにより構成されている。
コイン類投入口138は、ＩＣコインＩＣの厚み及び直径よりも僅かに大きい矩形に形成されている。
カード投入口140は、約上半分がコイン類投入口138と共通であり、コイン類投入口138の下端よりも下方へスリット状に伸びている。
コイン類投入口138カード投入口140の一側面142は、垂立する実質的同一線上に形成されている。
後述のように、ＩＣコインＩＣとＩＣカードＣＤのＩＣチップＴＰに対する通信手段128を共用化するためである。
【００１３】
次にコイン通路104を説明する。
コイン通路104は、コイン類投入口138に投入されたコインＣを案内する機能を有する。
コイン通路104は、ベース144とキャンセルカバ146、転動開始ガイドレール148及びガイドレール150によって構成される
ベース144は、フロントパネル136に対し直角に固定された垂立する非磁性体よりなるほぼ矩形の板状体である。
ベース144の側面152は、投入されたコインC及びICコインＩＣのガイドのため、投入口102の側面140と同一平面内に位置される。
ベース144は、樹脂によって一体成形することが好ましい。
キャンセルカバ146は、非磁性体よりなるほぼ矩形の板状体であり、上端部がベース144の軸受154A、154Bに取り付けられた軸156に揺動自在に支持され、付勢用のスプリング158によってベース144に近づくよう回動力を受ける。
キャンセルカバ146は、樹脂により一体成形することが好ましい。
キャンセルカバ146のベース144側のＩＣコインガイド側面160からＩＣコインガイドレール162及びコインガイド側面164からコインガイドレール166が突出している。
ベース144の側面152とコインガイド側面164との間隔は、選別するコインの厚みよりも僅かに大きく設定されている。
転動開始ガイドレール148は、キャンセルカバ146にフロントパネル136に隣接して固定された台形の金属板であり、ガイドレール150に連なる落下転動面168が湾曲している。
コインCの落下によって落下転動面168が摩耗しないため、及び、コインCの転動速度向上のためである。
コイン通路104は、ベース144の側面152、キャンセルカバ146のコインガイド側面164及びコインガイドレール166によって画定された図6において右下がりに直線的に伸びる通路である。
よって、コインCは立った状態でコインガイドレール166上を側面160及びコインガイド側面152によって側面を案内されつつ転動可能である。
【００１４】
次にＩＣコイン通路106、を説明する。
ＩＣコイン通路106は、コイン類投入口138に投入されたＩＣコインＩＣが自重により転動する機能を有する。
ＩＣコインガイドレール162は、コイン類投入口138の下縁に続いて所定の角度で前下がり(図6において左下がり)に形成された直線状の突起である。
ＩＣコイン通路106は、ベース144の側面152、キャンセルカバ146の側面160及びＩＣコインガイドレール162によって画定された図6において左下がりに直線的に伸びる通路である。
コイン通路104は、ＩＣコイン通路106の下において、ＩＣコイン通路106と平行に直線的に伸び、コイン類投入口138Ｉに隣接する下方においてＣコイン通路106と連通している。
コイン通路104の幅はＩＣコインＩＣの厚みよりも薄いので、ＩＣコインＩＣは落下できずにＩＣコインガイドレール162上を転動する。
コインCはコイン類投入口138から投入された直後、ＩＣコイン通路106をほぼ直径分移動した後、逸らせ手段122によってコイン通路104に案内される。
よって、コイン類投入口138に連なるICコイン通路106は、コイン通路104との共通通路170であり、さらに、後述のＩＣカード通路112とも共通である。
【００１５】
次にキャンセル手段108を説明する。
キャンセル手段108は、ＩＣコイン通路106若しくはコイン通路104においてジャムしたＩＣコインIC若しくはコインCを、又は、投入したコインC若しくはICコインＩＣをキャンセルし、返却口172に戻す機能を有する。
本実施例において、キャンセル手段108は、キャンセルカバ146、キャンセルレバ174、及び、第１リンク機構176を含んでいる。
キャンセルレバ174を説明する。
キャンセルレバ174は、顧客がコインC又はＩＣコインICをキャンセルするために操作するレバであり、ベース144から横方向に突出する固定軸178に中間を回転自在に取り付けられている。
その上部レバ180はフロントカバ134の投入口102に並置された開口182からフロントカバ134の前方に突出され、顧客によって押し下げ可能に配置されている。
下部レバ184は、フロントパネル136に対し平行に下方に伸びている。
次に第１リンク機構176を説明する。
第１リンク機構176は、下部レバ184が図4において反時計方向に回動された場合、キャンセルカバ146をベース144から遠ざける方向に移動させる機能を有する。
第１リンク機構176は、ベース144から横方向に延びるステー186から上方に突出する軸188に回動自在に取り付けられたＬ形の第１揺動レバ190を含んでいる。
揺動レバ190の第１レバ190Aは下部レバ184によって押動され、図5において時計方向へ回動される。
揺動レバ190の第2レバ190Bは、ベース144の開口を通ってキャンセルカバ146の下端部に当接し、押動可能である。
キャンセルレバ174が図4において反時計方向に回動された場合、下部レバ184は第１レバ190Aを押動するので、第２レバ190Bはキャンセルカバ146の下端部を押してベース144から離隔させる。
これにより、キャンセルカバ146は軸156を支点に回動し、ベース144に対し傾斜され、コインガイドレール166の側端面と側面152との隙間はコインＣの厚み以上にされ、かつ、ICコインガイドレール166の上面は横方向に対して下向き傾斜になるので、その上に載っているコインCは、自重により落下する。
落下したコインＣは、コイン通路104の下方においてベース144に形成され、フロントパネル132側へ下向きに傾斜するキャンセルガイドレール192上に落下した後、自重によりその上を図6において右方向へ転動し、返却口172へ転げ落ちる。
返却口172は、コインCの両サイド及び前方を囲う溝状に形成されているので、コインＣは返却口172において立った状態で保持される。
さらに、キャンセルカバ146の回動により、ＩＣコインガイドレール162の端面も側面152に対しＩＣコインＩＣの厚み以上に離され、かつ、ＩＣコインガイドレール162の上面は側面152側に向かって下向き斜面になる。
よって、ＩＣコインＩＣは、ＩＣコインガイドレール162から落下し、コイン通路104を横断した後キャンセル通路190を画定するキャンセルガイドレール192上に落下した後、自重により図6において右方向へ転動し、返却口172においてコインCと同様に立った状態で保持される。
【００１６】
次にＩＣカードＣＤのＩＣカード通路112を説明する。
ＩＣカード通路112は、ＩＣカード投入口140に続いてベース144の側面152に沿って伸びており、大部分はＩＣコイン通路106と共通し、一部分はコイン通路104と共通する。
ＩＣカード通路112の下端は、コイン通路104に適宜移動される進退片194によって規制される。
ＩＣカードCDのカード投入口140への挿入が検知された場合、進退片194はコイン通路104に進出され、ＩＣカードCDの下縁を支える。
進退片194は、後述のキャンセル不作動手段116によって移動される。
ICカードICは、ベース144の垂立壁195によって進行を阻止され、保留位置HPに保持される。
この状態において、ＩＣカードICの長手方向の約四分の一がカード投入口140から突出する。
【００１７】
次にＩＣコインIC及びＩＣカードCDの検知手段114を説明する。
ＩＣコイン検知手段114は、共通通路170に配置され、投入口136に投入された価値媒体がコインであるか電気的価値情報記憶媒体であるＩＣコインIC若しくはＩＣカードCDであるかを判別する機能を有する。
よって、同様の機能を有する他の装置変更することができる。
本実施例において、検知手段114は、ベース144の側面152に配置された第１センサ196と第２センサ198を含んでいる。
本実施例において、第１センサ196及び第２センサ198は、共通通路170を横断する透過型の光電センサであるが、反射型光電センサや接触式センサ等に変更することができる。
第１センサ196は、逸らせ手段122及びＩＣコインガイドレール162の近傍に配置され、コインＣ及びＩＣコインICによって投射光を遮断される。
第２センサ198は、共通通路170を通過するコインCによっては遮断されないが、コインCよりも大径のＩＣコインＩＣもしくはICカードCDによっては遮断される位置に配置されている。
よって、第１センサ196及び第２センサ198の投射光が同時に遮断された場合、ＩＣコインIC若しくはICカードCDが投入されたと判別し、逸らせ手段122を共通通路170から退出させる。
【００１８】
次にキャンセル不作動手段116を説明する。
キャンセル不作動手段116は、投入口102にＩＣコインIC若しくはＩＣカードCDが投入された場合、キャンセル手段108を不作動にする機能を有する。
よって、キャンセル不作動手段116は、同様の機能を有する他の装置変更することができる。
本実施例において、キャンセル不作動手段116は、キャンセルレバ174を機械的に不作動にする。
キャンセル手段108が機械的に不作動にされる構造は、安価に構成できる利点がある。
まず、ＩＣカードCDに対するＩＣカード不作動手段202を説明する。
ＩＩＣカード不作動手段202は、図11に示すように、被動レバ204、被動部206及びストッパ208（図11参照）を含んでいる。
被動レバ204は、フロントパネル136から後方に突出する固定軸210にその中間が回動自在に取り付けられ、弾性体212により図10において時計方向に付勢されている。
被動部206は、被動レバ214の中間部に形成された半球形部であり、ＩＣカードICがカード投入口140に挿入されない場合、ICカード通路112に突出し、ICカードICが挿入された場合、カード端面が被動部206の球面に当接して押動され、ＩＣカード通路112の外へ押し出される。
ストッパ208は、被動レバ204の下端に形成された矩形ブロック体であり、被動部206がＩＣカード通路112の外に位置する場合、図11に示すようにキャンセルレバ174の下端部213の回動経路に突出する。
これにより、キャンセルレバ174を押し下げようとしても下端部212がストッパ208に阻止され、押し下げられない。
次に、ＩＣコイン不作動手段222を説明する。
ＩＣコイン不作動手段222は、ICコインICがコイン類投入口138に投入された場合、キャンセルレバ174を不作動にする機能を有する。
ＩＣコイン不作動手段222は、一部を後述の逸らせ手段122と共用しているので、主要部の説明は逸らせ手段122の説明において説明する。
逸らせ手段122が非逸らせ位置にある場合、一体的に移動する第２ストッパ224がキャンセルレバ174に一体的に形成された係止部226の回動経路に突出し、キャンセルレバ174の回動を阻止する。
【００１９】
次に判別手段118を説明する。
判別手段118は、コイン通路104を転動するコインCの正偽及び金種を判別する機能を有する。
判別手段118は、コイン通路104に沿ってベース144及びキャンセルカバ146に相対して固定されたコアにコイルを巻きつけたコイル体232、234、236を含んでいる。
コイル体232は、コインCの直径を検知するために用いられる。
コイル体234は、コインCの厚みを検知するために用いられる。
コイル体236は、コインCの材質を検知するために用いられる。
これらコイル体232、234、236からの出力を判別回路（図示せず）に入力し、所定の基準値と比較してコインCの正貨及び偽貨並びに金種を判別する。
判別手段118は偽貨の場合、コイン振分手段242にキャンセル信号CSを出力する。
次にコイン振分手段242を説明する。
コイン振分手段242は、コイン通路104を転動するコインCをキャンセル通路190若しくは保留金庫への収納通路244に振り分ける機能を有する。
コイン振分手段242は、コイン振分体246と電磁アクチュエータ248と第２リンク機構252を有する。
コイン振分体246は、コイン通路104の延長上のキャンセル位置CP若しくは収納通路244へ案内する収納位置SPに位置可能である。
コイン振分体246は、ベース144から横方向へ突出する固定軸258に回転自在に取り付けられた第２揺動レバ254の先端から横方向に向かってコイン通路104に延びる棒体である。
第２揺動レバ254の他端は、第１電磁アクチュエータ248の鉄心260にリンク機構252によってリンク結合されている。
鉄心260は、スプリング（図示せず）により、図4において左方向へ付勢され、通常、キャンセル位置CPに保持される。
判別手段118により第１電磁アクチュエータ248が励磁された場合、鉄心260が図4において右方へ移動されるので、第２揺動レバ254は反時計方向へ回動され、収納位置SPに移動され、保持される。
コイン振分体246が収納位置SPに保持される場合、コイン通路104を転動するコインCは、コインガイドレール150からコイン振分体246上に落下して収納通路244に案内される。
コイン振分体246がキャンセル位置CPに位置する場合、コイン通路104から落下したコインCはコイン振分体246に当接して図6において右方へ案内されるので、キャンセル通路190を転動して返却口172へ戻される。
【００２０】
次に逸らせ手段122を説明する。
逸らせ手段122は、コイン類投入口138に投入されたコインCをコイン通路106に案内する機能を有する。
逸らせ手段122は、逸らせ体262、第3リンク機構264、及び第2電磁アクチュエータ286を含んでいる。
逸らせ体262は、板状であり、図6に示すようにＬ形に形成され、ベース144に対し平行に固定された固定軸268に回動自在に取り付けた第3揺動レバ270の一端に対し直角に位置している。
逸らせ体262は垂立部272及び下向き傾斜部274を有し、投入されたコインCは垂立部272に衝突して下方へ落下した後、傾斜部274によってフロントパネル136側に案内され、フロントパネル136に近接した転動開始ガイドレール148の転動面168上に落下する。
第3揺動レバ270の固定軸268よりもベース144に遠い位置から上方に突出する軸276にリンク278の端部が回動自在に取り付けられている。
リンク278の他端は、第2電磁アクチュエータ286の鉄心280に回動自在に取り付けられている。
鉄心280は、スプリング（図示せず）によって突出方向に付勢されている。
よって、第2電磁アクチュエータ286が励磁され、鉄心280が吸引され、図5において上方へ移動された場合、第3揺動レバ270は時計方向へ回動され、逸らせ体262は共通通路170の外に移動される（図5の状態）。
第2電磁アクチュエータ286が消磁された場合、鉄心280は図示しないスプリングにより図4において左方へ移動される。
第３揺動レバ270は反時計方向へ回動され、逸らせ体262が共通通路170に進行し、共通通路170をほぼ横断するよう位置する。
よって、コインCが投入された場合、コインCは逸らせ体262によって共通通路170における進行を阻止され、下方へ落下してコイン通路104へ誘導される。
【００２１】
次にＩＣコイン保留手段124を説明する。
ICコイン保留手段124は、ＩＣコインICが投入された場合、ＩＣコインICをＩＣコイン通路106に保留する機能を有する。
コイン保留手段124は、停止片282及び第2電磁アクチュエータ286との第4リンク機構283を含んでいる。
停止片282は、ＩＣコイン通路106の上側において、ベース144から側方に突出する固定軸284に回動自在に取り付けられ、ベース144に隣接し、ベース144に対し平行な平面内において回動できる。
第4リンク機構283は、鉄心280に固定され、ベース144にガイドされつつ横方向に往復動可能に設けたスライド片287、スライド片287から横方向へ突出するピン288及び、停止片282に形成した長孔290を含み、ピン288が長孔290にスライド可能に挿入されている。
第2電磁アクチュエータ286が消磁されている場合、スライド片287は図4において最右方に位置しているので、停止片282は図6において時計方向に回動された保持位置SＰに保持される。
停止片282が保持位置SＰに位置する場合、ＩＣコインガイドレール162上を転動してきたＩＣコインICは、停止片282の先端に当接して転動を阻止され、保留位置HPに保持される。
ＩＣコインＩＣとＩＣカードICとの保留位置HPは、オーバーラップしている。
第2電磁アクチュエータ286が励磁された場合、鉄心280が図4において右方へ移動されるため、停止片282は図6において反時計方向へ回動される。
これにより、停止片282の先端はＩＣコインICに当接しない位置に移動され、ＩＣコインICはＩＣコイン通路106をさらに転動可能になる。
【００２２】
次に価値媒体投入阻止手段126を説明する。
価値媒体投入阻止手段126は、ＩＣコインIC若しくはICカードCDが保留位置HPに保留されている場合、コインCをコイン類投入口138に投入できないようにする機能を有する。
IＣコインＩＣに関連するＩＣコイン阻止手段302は、第3揺動レバ270に弾性的に支持されたレバの先端に形成された横向き第1阻止片304である。
第1阻止片304は、コイン類投入口138の後方のフロントパネル136に近接した位置において、共通通路170に進退可能である。
よって、逸らせ体262と第１阻止片304とは第３揺動レバ270の揺動によって反対位相で共通通路170に進退する。
詳述すれば、逸らせ体262が共通通路170に位置している場合、第1阻止片304は共通通路170から退出する。
逸らせ体262が共通通路170から退出している場合、第1阻止片304はコイン類投入口138に相対する共通通路170に位置する。
よって、第１阻止片304が共通通路170に位置する場合、コインCをコイン類投入口138に投入することが出来ない。
しかし、ＩＣカードCDがＩＣカード通路112に位置する場合、第1阻止片304はＩＣカードCDに阻止されて共通通路170に進行出来ないが、第3揺動レバ270に弾性的に支持されているレバの先端に形成されているため逃げ運動をすることが出来るので、何ら問題は生じない。
ＩＣカードCDに関連するＩＣカード阻止手段306は、被動レバ204の上端部に形成したフック状の第2阻止片308である。
第2阻止片308は、被動部206がＩＣカード通路112に位置する場合、コイン類投入口138に相対する共通通路170から退出した位置に移動され、被動部206がＩＣカード通路112に位置する場合、ＩＣカード通路112の反対側の側壁310の開口を通って共通通路170に進出する。
よって、第2阻止片308が共通通路170に位置した場合、コインCは第2阻止片308によってコイン類投入口138に投入できない。
【００２３】
次に通信手段128を説明する。
通信手段128は、保留位置HPに保留されたＩＣコインICもしくはＩＣカードCDのＩＣチップTPと価値情報の通信を行う機能を有する。
本実施例においては、通信手段128は、ベース144に固定され、通信機能を有するＩＣ及びアンテナを搭載した通信基板310である。
【００２４】
次にＩＣコイン振分手段132を説明する。
ＩＣコイン振分手段132は、停止片282による保持を解除されたＩＣコインICをＩＣコイン収納通路312若しくはキャンセル通路190に振分る機能を有する。
ＩＣコイン振分手段132は、ＩＣコイン振分体314及び第３電磁アクチュエータ316を含んでいる。
ＩＣコイン振分体314は、板状であって、第３電磁アクチュエータ316の出力軸に固定されている。
ＩＣコイン振分体314は、第３電磁アクチュエータ316が励磁されない場合、ＩＣコインICをキャンセル通路190に案内する位置に保持される（図9参照）。
第３電磁アクチュエータ316が励磁された場合、図9において時計方向に回動され、ＩＣコインICはＩＣコイン収納通路312に案内される。
【００２５】
なお、  収納通路244に糸吊り防止手段320を配置することが好ましい。
本実施例の糸吊り防止手段320は、軸322に対し揺動可能に取り付けた扇形の阻止体324である。
通常、重力により阻止体324の一部が収納通路244に突出した状態に垂下される。正貨コインCが通過する場合、当該コインCにより移動され、当該コインCは通過することが出来る。
コインCが通過した後、阻止体324は元に戻る。
よって、糸吊りしたコインCを引き上げようとしても阻止体324に阻止され、引き上げることはできない。
フロントカバ132にＩＣコインＩＣ若しくはＩＣカードCDのＩＣチップTPに記憶された価値情報を表示するための表示器330を装着することが好ましい。
【００２６】
次に本実施例の作用を説明する。
まず正貨コインCを投入したケースを説明する。
本価値媒体処理装置100がスタンバイ状態にない場合、逸らせ手段122の第2電磁アクチュエータ286は、消磁され、図5において鉄心280がスプリング（図示せず）によって下方に移動され、リンク278を介して第3揺動レバ270は時計方向へ回動され、最時計回り位置に位置する。
これにより、逸らせ体262は共通通路170から退出した位置に保持される。
一方、逆位相に移動される投入阻止片304は、共通通路170に進出している。
よって、投入口102には、コインC、ＩＣコインＩＣ及びＩＣカードＣＤを投入することができない。
本価値媒体処理装置100がスタンバイ状態にされた場合、第２電磁アクチュエータ286は励磁され、鉄心280が図5において引き上げられ、リンク278を介して第３揺動レバ270は反時計方向へ回動される。
これにより、逸らせ体262は共通通路170に進出し、投入阻止片304は共通通路170から退出する。
よって、コイン類投入口138及びＩＣカード投入口140に価値媒体をそれぞれ投入可能になる。
コイン振分手段130の第１電磁アクチュエータ248は消磁され、鉄心260はスプリング(図示せず)によって図4において右方へ移動されるので、リンク252を介して第２揺動レバ254が図4において最時計方向に回動される。
これにより、振分体246はキャンセル位置CP(図6における実践位置)に保持される。
ＩＣコイン振分手段132の第３電磁アクチュエータ316も消磁され、キャンセル位置に保持される。
【００２７】
投入されたコインCは、図6において左方へ移動しつつ重力により下方へ落下し、全体として斜め下方を指向して共通通路170において図6において左方斜め下へ移動し、逸らせ体262の垂立部272に衝突する。
コインCは直径が小さいため、第１センサ196及び第２センサ198の光軸を同時に遮断することはないので、第２電磁アクチュエータ266は励磁されたままである。
衝突したコインCは反端側へ跳ね返ると共に落下し、傾斜部274によってフロントパネル136側へ跳ね返り、転動開始ガイドレール148上に落下する。
転動面168に落下したコインCは、その円湖面により加速されつつ転動し、次いでガイドレール150を転動する。
コインCはガイドレール150上を転動する過程でセンサ体236、234、232に順次相対し、コインCの材質、厚み及び直径に関する識別情報を採取される。
判別手段118は、これらの識別情報からコインCの真偽を判別する。
本ケースは、正貨であるため、正貨として判別され、第１電磁アクチュエータ248が所定時間励磁される。
この励磁によって、鉄心260は図4において右方へ引かれるので、第２揺動レバ254は反時計方向へ回動される。
これにより、振分体246は保留位置SPへ移動される。
ガイドレール150から落下したコインCは振分体246上に落下するので図6における左方へ跳ね返り、収納通路244へ案内される。
収納通路244を落下するコインCは、阻止体324を図6において時計方向へ回動させて通過し、保留金庫（図示せず）に保留される。
保留されたコインCを糸吊りにより引き上げようとしても前述のように阻止片324に阻止されて引き上げることができない。
【００２８】
次に偽コインが投入されたケースを説明する。
コイン類投入口138に投入された偽コインは、前述同様にコイン通路104のガイドレール150上を転動する。
判別装置118はセンサ体236、234、232からの識別情報に基づき偽信号を出力するので、第１電磁アクチュエータ248は励磁されない。
これにより、振分体246はキャンセル位置CPを維持するので、偽コインは振分体242に衝突してキャンセル通路190へ案内され、キャンセルされる。
【００２９】
次にＩＣコインＩＣをコイン類投入口138に投入したケースを説明する。
ＩＣコインICは、ＩＣコインガイドレール162上を転動してＩＣコイン通路106を図6において右方から左方へ移動する。
転動途上で第１センサ196及び第２センサ198の投射光を遮断するので、検知手段118は電気的価値情報記憶媒体として検知する。
これにより、第２電磁アクチュエータ266が消磁され、鉄心280が図5において下方へ移動されるので、第3揺動レバ270は時計方向へ回動され、逸らせ体262は共通通路170から退出すると共にICコイン投入阻止片304は共通通路170に進出し、コインC及びICカードCDは投入不可能になる。
また、スライド片286、ピン288を介して係止片282が図6の位置に回動され、保持位置SPに保持される。
さらに、第２ストッパ224が係止部226の回動経路に突出するので、キャンセルレバ174も回動できない。
逸らせ体262の共通通路170からの退出により、ＩＣコインICはＩＣコインガイドレール162上を転動して上端部が係止片282によって停止され、保留位置HPにおいて保留される。
ＩＣコインIC保留位置HPに保留された後、通信手段128によってＩＣコインＩＣに内蔵されたＩＣチップTPと通信し、価値情報を読込若しくは書き込む。
ＩＣコインIC保留位置HPに保留された場合、前述のようにキャンセルレバ174を回動させることが出来ないので、ＩＣコインICをキャンセルすることは出来ない。
不正にＩＣチップTPの情報を書き換えられないようにすること、及び、ＩＣチップTPの読込若しくは書込処理中にＩＣコインICが動いて読込若しくは書込処理の異常を防止するためである。
ＩＣコインICの価値情報がゼロになった場合、ＩＣコイン振分装置132の第３電磁アクチュエータ316が励磁され、収納位置に保持される。
次いで第２電磁アクチュエータ266が励磁され、図4おいて最右方へ移動される。
これにより、スライド片286が同方向へ移動され、ピン288を介して係止片282が図6において反時計方向に回動され、非保持位置に移動される。
ＩＣコインICは、ＩＣコインガイドレール162の傾斜によって転動し、振分体314に達する。
振分体314が保留位置にあるため、ＩＣコインICはＩＣコイン保留通路312へ案内される。
ＩＣコインICに価値情報が残存している場合、第３電磁アクチュエータ316は励磁されず、キャンセル位置に保持される。
この場合、ＩＣコインICは、振分体314によってキャンセル通路190に案内され、返却口172へ戻される。
【００３０】
次に、ＩＣカードCDが投入された場合を説明する。
ＩＣカードCDがＩＣカード投入口140に投入された場合、ＩＣカード通路112においてＩＣカードCDは被動部206を押動し、ＩＣカード通路112の外方へ押し出す。
これにより、被動レバ204は図10において反時計方向へ回動され、第２阻止片308が共通通路170を横断するよう突出する。
これにより、コイン類投入口138にはコインCを投入することができない。
また、被動レバ204と一体のストッパ208はキャンセルレバ174の下端部213の移動経路に突出するので、キャンセルレバ174は回動されることができない。
換言すれば、ＩＣカードCDが投入口102に投入されている場合、コインCをコイン類投入口138に投入できない。
さらに、第１センサ196及び第２センサ198が同時にＩＣカードCDを検知するので、第２電磁アクチュエータ266が消磁され、前述のように逸らせ片262を共通通路170から退出させる。
よって、ＩＣカードCDは下端を進退片194に案内されつつその先端が垂立壁195に阻止されるまで挿入することができる。
一方、第１阻止片304が共通通路170に進出しようとするが、ICカードCDに阻止され、進出出来ない。
しかし、第１阻止片304は第3揺動レバ270に対し弾性的に取り付けられているので逃げ運動をすることができ、何ら問題はない。
ＩＣカードCDのＩＣチップTPは、保留位置HPにおいて前述のＩＣコインICと同様に通信手段128によって価値情報を読込若しくは書込される。
ＩＣカードCDがICカート通路112に位置する場合、前述のようにキャンセルレバ174を押し下げることができない。
よって、読込若しくは書込中に  ＩＣカードCDが動かされて読込若しくは書込異常を生じることがない。
【図面の簡単な説明】
【００３１】
【図１】図１は実施例の価値媒体処理装置の斜視図である。
【図２】図２は実施例の価値媒体処理装置の正面図である。
【図３】図３は実施例の価値媒体処理装置の左側面図である。
【図４】図４は実施例の価値媒体処理装置の右側面図である。
【図５】図５は実施例の価値媒体処理装置の平面図である。
【図６】図６は図５におけるＡ―Ａ線断面図である。
【図７】図７は図４におけるＢ―Ｂ線断面図である。
【図８】図８は図４におけるＣ―Ｃ線断面図である。
【図９】図９は図４におけるＤ―Ｄ線断面図である。
【図１０】図１０はＩＣコイン阻止手段の説明図である。
【図１１】図１１は図５におけるＦ―Ｆ線断面図である。
【符号の説明】
【００３２】
Ｃ  コイン
ＩＣ  ＩＣコイン
ＣＤ  ＩＣカード
SP  保持位置
102  投入口
104  コイン通路
106  ＩＣコイン通路
108  キャンセル手段
112  ＩＣカード通路
114  検知手段
116、202、222  不作動手段
118  判別手段
122  逸らせ手段
124  ＩＣコイン保留手段
126  価値媒体投入阻止手段
138  コイン類投入口
144  ベース
146  キャンセルカバ
150、156  ガイドレール
170  共通通路
【図１】
2008071088.tif 000003
【図２】
2008071088.tif 000004
【図３】
2008071088.tif 000005
【図４】
2008071088.tif 000006
【図５】
2008071088.tif 000007
【図６】
2008071088.tif 000008
【図７】
2008071088.tif 000009
【図８】
2008071088.tif 000010
【図９】
2008071088.tif 000011
【図１０】
2008071088.tif 000012
【図１１】
2008071088.tif 000013